(57)【要約】【課題】高圧架空電線と高圧引下電線とを接続する接続作業に際しての作業性の向上、および、接続作業に携わる作業者の疲労の低減を図ること。【解決手段】高圧架空電線２０１と高圧引下電線２０２とを接続する電線接続器具１００であって、電線接続器具１００を高圧架空電線２０１につり下げ可能なフック部１０２と、フック部１０２に対向配置され、当該フック部１０２に対して接離する方向に移動可能に設けられた押さえ部１０６と、高圧引下電線２０２の先端部を押さえ部１０６に固定する固定部と、フック部１０２に対して位置固定されたボルト支持部１０３に螺合された締付用ボルト１０５の螺合状態に応じて、フック部１０２に対する押さえ部１０６の位置を変化させるネジ部と、締付用ボルト１０５に設けられ、ヤットコなどの間接活線工具７０１による把持が可能な形状からなる把持部１１１と、を備えた。【選択図】図７
2010198900.tif 000002
【特許請求の範囲】
【請求項１】
電線どうしを接続する電線接続器具であって、
前記電線接続器具を第１の電線につり下げ可能なフック部と、
前記フック部に対向配置され、当該フック部に対して接離する方向に移動可能に設けられた押さえ部と、
第２の電線の先端部を前記押さえ部に固定する固定部と、
前記フック部に対して位置固定された支持部材に対する当該支持部材に螺合されたネジ部材の螺合状態に応じて、前記フック部に対する前記押さえ部の位置を変化させるネジ部と、
前記ネジ部材に設けられ、所定の工具による把持が可能な形状からなる把持部と、
を備えたことを特徴とする電線接続器具。
【請求項２】
前記把持部は、前記ネジ部材と前記把持部とを任意の角度で連結する自在継手を介して前記ネジ部材に連結されていることを特徴とする請求項１に記載の電線接続器具。
【請求項３】
前記押さえ部は、前記フック部に対向する位置において当該フック部から離反する方向に湾曲した凹面部を備えたことを特徴とする請求項１または２に記載の電線接続器具。
【請求項４】
前記押さえ部は、前記ネジ部に連結され前記フック部に対して変位する本体部と、当該本体部に取り付けられた別部材であって前記凹面部を形成するアダプタ部材と、からなることを特徴とする請求項３に記載の電線接続器具。
【請求項５】
前記固定部は、前記第２の電線の先端部を前記押さえ部の内部に挿入可能とする引下電線挿入孔と、前記押さえ部に螺合されることによって前記引下電線挿入孔に挿入された前記第２の電線をネジ留めするネジと、からなることを特徴とする請求項１〜４のいずれか一つに記載の電線接続器具。
【発明の詳細な説明】
【技術分野】
【０００１】
この発明は、高圧架空電線と高圧引下電線などのように、電線どうしを接続する電線接続器具に関する。
【背景技術】
【０００２】
たとえば柱上変圧器に送電するために、高圧引下電線（ＰＤ線）を高圧架空電線に接続する際には、引下線用コネクタを用いる。引下線用コネクタは、直接活線用と間接活線用との２種類が存在する。間接活線工法は、活線用器具や絶縁保護具などを使用して充電電路に接触しておこなう高圧活線作業を、スティックやヤットコなどの間接活線工法工具を用いて、作業者が高圧活線に近づくことなく作業をおこなう工法であり、作業者の安全性の向上を図ることができるという利点から近年注目されている。
【０００３】
間接活線作業に用いる従来の引下線用コネクタ（以下「既設コネクタ」という）は、高圧引下電線を挿入する挿入部と、既設コネクタを高圧架空電線に取り付ける高圧架空電線取付部とを備えていた。既設コネクタにおける高圧架空電線取付部は、高圧架空電線を挟み込むことによって既設コネクタを高圧架空電線に取り付ける構造であった（たとえば、下記特許文献１を参照）。
【０００４】
このような既設コネクタを用いて高圧引下電線を高圧架空電線に接続する接続作業に際しては、挿入部に高圧引下電線を挿入し、挿入部に高圧引下電線が挿入された状態で、高圧架空電線取付部によって高圧架空電線を挟み込んで仮付けする。その後、高圧架空電線を挟み込んだ高圧架空電線取付部に設けられた締付ボルトを締めることによって、仮付けした既設コネクタを高圧架空電線に固定していた。
【０００５】
従来、接続作業に際しては、仮付けした既設コネクタの締付ボルトを締めるまでの間、操作棒と先端工具とによって構成される間接活線工具を用いて、仮付けした既設コネクタを高圧架空電線と高圧引下電線との接続位置の下方から突き上げるようにして支持しながらおこなっていた。接続作業は、高所作業車のバケットに乗ったり、電柱に上ったりして高所でおこなうため、作業者は必要な先端工具および操作棒を携帯し、作業内容に応じて適宜先端工具を取り替えていた。
【先行技術文献】
【特許文献】
【０００６】
【特許文献１】特開２００２−５６９４２号公報
【発明の概要】
【発明が解決しようとする課題】
【０００７】
しかしながら、上述した従来の技術では、高圧架空電線取付部によって高圧架空電線を挟み込む際に、挿入部と高圧引下電線との位置がずれやすいという問題があった。このために、接続作業中に、挿入部に挿入した高圧引下電線が挿入部から抜けてしまったり、正規の挿入位置からずれてしまったりすることがあった。接続作業中に高圧引下電線が抜けることは、抜けた高圧引下電線が作業者に接触して感電事故が発生したり、抜けた高圧引下電線が周囲の設備などに接触して配電線事故が発生したり、などの深刻な事故の発生につながりかねない。
【０００８】
また、挿入部への高圧引下電線の挿入作業は作業者の手作業によっておこなっているのが現状であるため、上述した従来の技術では、接続作業中に高圧引下電線が抜けた場合は、抜けた高圧引下電線を既設コネクタに取り付ける段階から接続作業をやり直さなくてはならず、作業のために停電する時間を延長しなくてはならないという問題があった。
【０００９】
また、上述した従来の技術では、締付ボルトを締めるまでの間、仮付けした既設コネクタを間接活線工具を介して突き上げるようにして支持しておかなくてはならないため、腕がだるくなるなど作業者の疲労が大きいという問題があった。特に、接続作業中に高圧引下電線が抜けた場合は、仮付けした既設コネクタを支持する時間が長くなるため、作業者の疲労が一層大きくなるという問題があった。さらに、接続作業は屋外でおこなうため、強風時など天候によっては接続作業が一層煩雑になって、作業が長時間化し、作業者の疲労が一層増大してしまうという問題があった。
【００１０】
また、上述した従来の技術では、接続作業の途中で先端工具を取り替えなくてはならないため、先端工具や操作棒など、携帯する工具類の数が多いという問題があった。携帯する工具類の数が多いと、先端工具を取り替えるごとに目的とする先端工具や当該先端工具に適合する操作棒を探し出さなくてはならず、作業効率が低下してしまうという問題があった。
【００１１】
また、携帯する工具類の数が多いと、個々の工具類に対する作業者の注意力が散逸し、先端工具や操作棒を落下させてしまうことが危惧される。さらに、工具袋の中に多くの工具類を携帯したり、高所作業車のバケット内に多くの工具類を積載したりするために作業環境が雑然とし、作業効率が低下しかねないという問題があった。
【００１２】
また、接続作業は、高所作業車のバケットや電柱の上などのように、不安定で広さが限られた場所でおこなうため、作業効率が低下して作業時間が長くなると、作業者の疲労が増大してしまうという問題があった。携帯する工具が多いことに加えて、作業者の疲労が増大することによって、作業効率が一層低下したり、注意力が低下して工具類が落下する危惧が高まったりするという問題があった。
【００１３】
この発明は、上述した従来技術による問題点を解消するため、電線どうしを接続する接続作業に際しての作業性の向上、および、接続作業に携わる作業者の疲労の低減を図ることができる電線接続器具を提供することを目的とする。
【課題を解決するための手段】
【００１４】
上述した課題を解決し、目的を達成するため、この発明にかかる電線接続器具は電線どうしを接続する電線接続器具であって、前記電線接続器具を第１の電線につり下げ可能なフック部と、前記フック部に対向配置され、当該フック部に対して接離する方向に移動可能に設けられた押さえ部と、第２の電線の先端部を前記押さえ部に固定する固定部と、前記フック部に対して位置固定された支持部材に対する当該支持部材に螺合されたネジ部材の螺合状態に応じて、前記フック部に対する前記押さえ部の位置を変化させるネジ部と、前記ネジ部材に設けられ、所定の工具による把持が可能な形状からなる把持部と、を備えたことを特徴とする。
【００１５】
この発明の電線接続器具を用いた電線どうしの接続作業に際しては、作業者は、まず、第２の電線の先端部が固定部によって押さえ部に固定された電線接続器具をフック部によって第１の電線につり下げる。そして、つり下げた状態において所定の工具を用いて把持した把持部を操作することによってネジ部材の螺合状態を調整し、押さえ部とフック部との間に第１の電線を挟み込むことによって、電線接続器具を第１の電線に取り付けることができる。
【００１６】
この発明によれば、接続作業に際して、電線接続器具から第２の電線を脱落させることなく、電線接続器具を第１の電線に取り付けることができるので、第２の電線の先端が作業者や周囲の設備に接触することによる事故や、接続作業のやり直しをなくし、接続作業に携わる作業者の安全性および作業性の向上を図ることができる。
【００１７】
また、この発明によれば、電線接続器具を第１の電線につり下げるために把持部を把持している所定の工具（間接活線工具）によって、ネジ部材の螺合状態を調整することができる。すなわち電線接続器具を第１の電線につり下げるために把持部に固定した間接活線工具を接続作業の途中で取り替えることなく、電線接続器具を第１の電線に取り付けることができる。
【００１８】
さらに、この発明によれば、ネジ部材の螺合状態の調整に際して、別の間接活線工具を用いて電線接続器具を押さえておくことなく、電線接続器具を第１の電線に取り付けることができる。これにより、接続作業に際して電線接続器具を押さえておくことによる作業者の肉体的および精神的な負担をなくすことができるので、接続作業に携わる作業者の疲労の低減を図ることができる。また、これにより、接続作業に際して作業者が携帯する工具類の数を減らすことができるので、接続作業に携わる作業者の疲労の低減を図ることができる。
【００１９】
また、この発明にかかる電線接続器具は、上記の発明において、前記把持部が、前記ネジ部材と前記把持部とを任意の角度で連結する自在継手を介して前記ネジ部材に連結されていることを特徴とする。
【００２０】
この発明によれば、第１の電線に対する電線接続器具の取り付け位置と作業者との位置関係にかかわらず、所定の工具によって把持した把持部を操作して、ネジ部材の螺合状態を調整することができる。これにより、間接活線工具が把持部に届く範囲であれば足場を確保する場所を限定することなくネジ部材の螺合状態を調整することができるので、作業性の向上を図ることができる。
【００２１】
また、この発明にかかる電線接続器具は、上記の発明において、前記押さえ部が、前記フック部に対向する位置において当該フック部から離反する方向に湾曲した凹面部を備えたことを特徴とする。
【００２２】
この発明によれば、一般的に外周形状が円形とされた第１の電線に対して凹面部をフィットさせ、フック部と押さえ部とによって第１の電線を確実に保持することができる。これによって、第１の電線に対して電線接続器具を確実に取り付けることができる。
【００２３】
また、この発明にかかる電線接続器具は、上記の発明において、前記押さえ部が、前記ネジ部に連結され前記フック部に対して変位する本体部と、当該本体部に取り付けられた別部材であって前記凹面部を形成するアダプタ部材と、からなることを特徴とする。
【００２４】
この発明によれば、第１の電線の外径寸法に応じて高圧架空電線にフィットするアダプタ部材を取り付けることによって、第１の電線の外径寸法にかかわらず、フック部と押さえ部とによって第１の電線を確実に保持することができる。これによって、第１の電線に対して電線接続器具を確実に取り付けることができる。
【００２５】
また、この発明にかかる電線接続器具は、上記の発明において、前記固定部が、前記第２の電線の先端部を前記押さえ部の内部に挿入可能とする引下電線挿入孔と、前記押さえ部に螺合されることによって前記引下電線挿入孔に挿入された前記第２の電線をネジ留めするネジと、からなることを特徴とする。
【００２６】
この発明によれば、簡易な構成および容易な作業によって、第２の電線の先端部を確実に押さえ部に固定することができる。これによって、作業者の負担を抑えつつ、接続作業に際して電線接続器具からの第２の電線の脱落や接触不良の発生を確実に防止することができる。
【発明の効果】
【００２７】
この発明にかかる電線接続器具によれば、接続作業に際しての第２の電線の脱落を防止するとともに、把持部を把持する所定の工具のみで取り付けることができるので、電線どうしの接続作業に際しての作業性の向上、および、接続作業に携わる作業者の疲労の低減を図ることができるという効果を奏する。
【図面の簡単な説明】
【００２８】
【図１】この発明にかかる実施の形態１の電線接続器具を示す説明図（その１）である。
【図２】この発明にかかる実施の形態１の電線接続器具を示す説明図（その２）である。
【図３】この発明にかかる実施の形態１の電線接続器具を示す説明図（その３）である。
【図４】この発明にかかる実施の形態１の電線接続器具を示す説明図（その４）である。
【図５−１】既設コネクタを示す説明図である。
【図５−２】従来の接続作業を示す説明図（その１）である。
【図５−３】従来の接続作業を示す説明図（その２）である。
【図５−４】従来の接続作業を示す説明図（その３）である。
【図６】高圧架空電線と高圧引下電線との接続作業を示す説明図（その１）である。
【図７】高圧架空電線と高圧引下電線との接続作業を示す説明図（その２）である。
【図８】高圧架空電線と高圧引下電線との接続作業を示す説明図（その３）である。
【図９−１】この発明にかかる実施の形態２の電線接続器具を示す説明図（その１）である。
【図９−２】この発明にかかる実施の形態２の電線接続器具を示す説明図（その２）である。
【図９−３】この発明にかかる実施の形態２の電線接続器具を示す説明図（その３）である。
【図１０】この発明にかかる実施の形態３の電線接続器具を示す説明図（その１）である。
【図１１】この発明にかかる実施の形態３の電線接続器具を示す説明図（その２）である。
【図１２】この発明にかかる実施の形態３の電線接続器具を示す説明図（その３）である。
【発明を実施するための形態】
【００２９】
以下に添付図面を参照して、この発明にかかる電線接続器具の好適な実施の形態を詳細に説明する。
【００３０】
（実施の形態１）
（電線接続器具の構成）
まず、この発明にかかる実施の形態１の電線接続器具の構成について説明する。図１、図２、図３および図４は、この発明にかかる実施の形態１の電線接続器具を示す説明図である。
【００３１】
図１においては、この発明にかかる実施の形態１の電線接続器具を斜め方向から見た状態を示している。図２および図３においては、高圧架空電線と高圧引下電線とを接続した状態における、この発明にかかる実施の形態１の電線接続器具を斜め方向から見た状態を示している。図４においては、この発明にかかる実施の形態１の電線接続器具を高圧架空電線の架線方向に交差する方向から見た状態を示している。
【００３２】
図１において、この発明にかかる実施の形態１の電線接続器具１００は、板状部材によって構成される接続器具本体部１０１を備えている。接続器具本体部１０１は、具体的には、たとえばアルミニウムなどの金属材料を用いて形成されている。接続器具本体部１０１は、略長方形状をなし、長手方向における一端部にフック部１０２が設けられている。
【００３３】
フック部１０２は、接続器具本体部１０１をなす板状部材の一端部を略Ｕ字形状に湾曲することによって構成されている。フック部１０２は、電線接続器具１００の取り付け対象となる第１の電線としての高圧架空電線２０１に、当該高圧架空電線２０１の上側から引っ掛けることができる程度の曲率で湾曲している。具体的には、フック部１０２は、たとえば高圧架空電線２０１の外周面の曲率と同等、あるいは、高圧架空電線２０１の外周面の曲率よりも若干大きな曲率で湾曲している。
【００３４】
接続器具本体部１０１において、フック部１０２とは反対側の端部には、ボルト支持部１０３が設けられている。ボルト支持部１０３は、フック部１０２の内周面に対向するように、接続器具本体部１０１をなす板状部材をフック部１０２と同じ側に屈曲することによって構成されている。
【００３５】
ボルト支持部１０３には、ボルト支持部１０３を板厚方向、すなわちフック部１０２とボルト支持部１０３との対向方向に沿って貫通する締付ボルト用貫通孔１０４が設けられている。締付ボルト用貫通孔１０４の内周面には、締付ボルト用貫通孔１０４の貫通方向に沿った螺旋形状をなすネジ山が設けられている。
【００３６】
締付ボルト用貫通孔１０４には、締付用ボルト１０５が螺合される。締付用ボルト１０５の外周面には、締付用ボルト１０５の軸心に沿って螺旋形状をなし、締付ボルト用貫通孔１０４に設けられたネジ山と同一ピッチのネジ山が設けられている。これにより、締付用ボルト１０５は、締付ボルト用貫通孔１０４に螺合された状態で回動することによってボルト支持部１０３に対して変位する。
【００３７】
この実施の形態においては、締付用ボルト１０５によって、この発明にかかるネジ部材を実現することができる。また、この実施の形態においては、ボルト支持部１０３、締付ボルト用貫通孔１０４および締付用ボルト１０５によって、この発明にかかるネジ部を実現することができる。
【００３８】
締付用ボルト１０５におけるフック部１０２側の端部（以下「締付用ボルト１０５の先端」という）１０５ａは、締付用ボルト１０５が締付ボルト用貫通孔１０４に螺合された状態で回動することにより、回動方向に応じて、フック部１０２に近づく方向あるいはフック部１０２から離れる方向に移動する。
【００３９】
フック部１０２とボルト支持部１０３との間には、押さえ部１０６が設けられている。押さえ部１０６は、接続器具本体部１０１とは別体とされた略長方体形状をなす部材であって、具体的には、たとえばアルミニウムなどの金属材料を用いて形成されている。上記の締付用ボルト１０５の先端１０５ａは、押さえ部１０６に対してフック部１０２とは反対側から当接している。
【００４０】
締付用ボルト１０５の先端１０５ａは、締付用ボルト１０５が締付ボルト用貫通孔１０４に螺合され、ボルト支持部１０３を貫通した状態において、押さえ部１０６に対して回転可能な状態で固定されている。これにより、高圧架空電線２０１と、第２の電線としての高圧引下電線２０２との接続作業に際して、押さえ部１０６と接続器具本体部１０１とがばらばらに分離してしまうことを防止できる。
【００４１】
具体的には、たとえば押さえ部１０６において締付用ボルト１０５の先端１０５ａが当接する位置に締付用ボルト１０５の先端１０５ａが嵌り込む凹部（図示を省略する）を設け、この凹部に締付用ボルト１０５の先端１０５ａを嵌め込むことによって、締付用ボルト１０５の先端１０５ａを押さえ部１０６に対して回転可能な状態で固定することができる。締付用ボルト１０５の先端１０５ａを押さえ部１０６に対して回転可能な状態で固定することにより、締付ボルト用貫通孔１０４に螺合された締付用ボルト１０５が回転した場合にも、フック部１０２と押さえ部１０６とを常に正対させておくことができる。
【００４２】
押さえ部１０６は、締付ボルト用貫通孔１０４に螺合された状態で回転する締付用ボルト１０５の回転方向に応じて、締付用ボルト１０５の先端１０５ａとともにフック部１０２に近づく方向あるいはフック部１０２から離れる方向に移動する。押さえ部１０６がフック部１０２に近づく方向に移動した場合には押さえ部１０６とフック部１０２との間隔が狭くなり、押さえ部１０６がフック部１０２から離れる方向に移動した場合には押さえ部１０６とフック部１０２との間隔が広くなる。
【００４３】
押さえ部１０６において、フック部１０２側の面は、略円弧状に凹んだ凹面部１０７とされている。凹面部１０７は、フック部１０２の湾曲方向とは反対方向に湾曲するように凹んでいる。これにより、押さえ部１０６がフック部１０２に近づく方向に移動した場合に、押さえ部１０６とフック部１０２との間に断面が略円形となる空間を形成することができる。接続作業に際しては、この空間に高圧架空電線２０１が配置されるようにして、電線接続器具１００を取り付ける。
【００４４】
凹面部１０７は、凹凸が設けられていることが好ましい。凹面部１０７に設けられる凹凸は、図示を省略するが、具体的には、たとえば格子状の切り込みとすることができる。また、凹面部１０７に設けられる凹凸は、具体的には、たとえば格子状の突起（突条部、リブ）であってもよい。また、凹面部１０７に設けられる凹凸は、具体的には、たとえばドット状の複数の突起を設けることによって実現してもよいし、ドット状の複数の穴を設けることによって実現してもよい。
【００４５】
凹面部１０７に凹凸を設けることにより、フック部１０２と押さえ部１０６との間に高圧架空電線２０１を挟み込む際、あるいは挟み込んだ後に、電線接続器具１００と高圧架空電線２０１との間にすべりが生じることを防止できる。これにより、高圧架空電線２０１に対する電線接続器具１００の位置がずれてしまうことを防止できる。
【００４６】
押さえ部１０６には、引下電線挿入孔１０８が設けられている。引下電線挿入孔１０８は、押さえ部１０６の長手方向に沿って押さえ部１０６を貫通している。引下電線挿入孔１０８は、押さえ部１０６の表面における内径が、押さえ部１０６の内側における内径よりも大きくなるように設けられている。引下電線挿入孔１０８における大きい方の内径は、高圧引下電線２０２の外径と略同一径とされている。引下電線挿入孔１０８における小さい方の内径は、高圧引下電線２０２の芯線の外径と略同一径とされている。
【００４７】
押さえ部１０６において、板状部材とは反対側の面には、引下電線挿入孔１０８につながった固定用貫通孔１０９が設けられている。この実施の形態においては、引下電線挿入孔１０８の長手方向に沿って２つの固定用貫通孔１０９が設けられている。固定用貫通孔１０９は、２つに限るものではなく、たとえば３つあるいは４つなどのように、引下電線挿入孔１０８の長手方向に沿って複数設けられていることが好ましい。固定用貫通孔１０９を複数設けることにより、押さえ部１０６に対して高圧引下電線２０２を確実に固定することができる。
【００４８】
固定用貫通孔１０９の数は、複数に限るものではなく、１つであってもよい。固定用貫通孔１０９の数を１つとする場合、固定用貫通孔１０９の位置は、引下電線挿入孔１０８に対して高圧引下電線２０２が挿入される側に近い方が好ましい。これにより、押さえ部１０６に対して高圧引下電線２０２を確実に固定することができる。
【００４９】
各固定用貫通孔１０９の内周面には、図示を省略するネジ山が設けられている。各固定用貫通孔１０９には、引下電線挿入孔１０８に高圧引下電線２０２の芯線を挿入した状態において、それぞれ、固定用ネジ１１０が螺合される。これにより、引下電線挿入孔１０８に挿入された高圧引下電線２０２の芯線を引下電線挿入孔１０８内に固定し、押さえ部１０６に対する高圧引下電線２０２の位置を固定することができる。この実施の形態においては、引下電線挿入孔１０８、固定用貫通孔１０９、および、固定用ネジ１１０によって、この発明にかかる固定部を実現することができる。
【００５０】
締付用ボルト１０５におけるフック部１０２とは反対側の端部（以下「締付用ボルト１０５の後端」という）には、把持部１１１が設けられている。把持部１１１は、略長方形の板形状からなる。把持部１１１は、締付用ボルト１０５と一体に形成されていることが好ましい。把持部１１１は、たとえばヤットコなど、対象となる物体を把持することが可能な間接活線工具によって把持することができる形状とされている。
【００５１】
ヤットコは、ペンチなどと同様の機能を備えた工具の一種であって、先端どうし噛み合う構造の２つの金属部材を同一の軸で結合し、２つの金属部材の先端どうしの距離を接離させるように開閉可能な構造からなる。把持部１１１を把持する間接活線工具は、単体でヤットコとして構成された間接活線工具に限らず、たとえば操作棒と操作棒の先端に取り付けた所定の先端工具とによって構成された間接活線工具であってもよい。
【００５２】
把持部１１１の表面には、凹凸１１１ａが設けられている。把持部１１１の表面に設けられる凹凸１１１ａは、具体的には、たとえば格子状の切り込みとすることができる。また、把持部１１１の表面に設けられる凹凸は、具体的には、たとえば格子状の突起であってもよい。さらに、把持部１１１に設けられる凹凸は、具体的には、たとえばドット状の複数の突起を設けることによって実現してもよいし、ドット状の複数の穴を設けることによって実現してもよい。これによって、ヤットコなどの工具を用いて把持する際に、工具と把持部１１１とが滑らないので、把持部１１１を確実に把持することができる。
【００５３】
従来、高圧引下電線２０２を高圧架空電線２０１に接続する接続作業（以下「従来の接続作業」という）に際しては、既設コネクタを用いていた。図５−１は、既設コネクタを示す説明図である。図５−２、図５−３および図５−４は、従来の接続作業を示す説明図である。
【００５４】
図５−１、図５−２、図５−３および図５−４において、既設コネクタ５００は、取付部５０１において高圧架空電線２０１を挟むような構造からなる。また、既設コネクタ５００は、高圧引下電線２０２が挿入される挿入部５０２を備えている（図５−１を参照）。従来の接続作業に際しては、挿入部に高圧引下電線２０２が挿入された状態の既設コネクタ５００によって下側から高圧架空電線２０１を挟み（図５−２を参照）、挟んだ状態で締付用ボルト５０３を締め込むことによって高圧架空電線２０１と高圧引下電線２０２とを接続していた。
【００５５】
従来の接続作業に際しては、ヤットコなどの間接活線工具５０４ａを用いて、挿入部５０２に高圧引下電線２０２が挿入された状態の既設コネクタ５００を高圧架空電線２０１の下側から押しつけるように支持する。そして、この状態で、締付用ボルト５０３にラチェットなどの別の間接活線工具５０４ｂを嵌め込む（図５−３を参照）。
【００５６】
締付用ボルト５０３には、操作棒の先端に取り付けられた先端工具を嵌め込む。そして、既設コネクタ５００を高圧架空電線２０１の下側から押しつけるように支持した状態で、ラチェットなどの別の間接活線工具５０４ｂを操作して締付用ボルト５０３を締め込む（図５−４を参照）。
【００５７】
接続作業は、高所作業車５１０のバケット５１１に乗ったり（図５−４を参照）、電柱にのぼったりするなどして、作業対象箇所に近づいておこなうが、作業対象箇所と同じ高さまでは上らずに、作業対象箇所の下方においておこなう。電柱にのぼったりする場合は、作業対象箇所の下方に限らず、側方であってもよい。これにより、作業対象箇所との距離を確保し、作業者の安全性を確保するようにしている。
【００５８】
このように、従来の接続作業においては、締付用ボルト５０３の締め込みが完了するまでの間、継続して、既設コネクタ５００を高圧架空電線２０１の下側から押しつけるようにして支持しておかなくてはならない。すなわち、作業者は、一方の手および腕において既設コネクタ５００を押し上げるように力を入れながら、他方の手および腕においてラチェットなどの間接活線工具５０４ｂを操作することとなる。
【００５９】
このため、両手両腕をつきだした状態で作業をおこなうことになる。間接活線工具は軽量化に配慮したものもあるものの、作業者の頭上にある作業対象に対して、両手両腕をつきだした状態でおこなわせる作業は作業者を疲労させる。また、作業中、継続して上方を見上げていなくてはならないため、首や肩にも負担がかかる。
【００６０】
また、従来の接続作業においては、高圧引下電線２０２は挿入部５０２に挿入しただけの状態であるため（図５−２を参照）、高圧引下電線２０２が挿入部５０２から抜けやすく、既設コネクタ５００を高圧架空電線２０１の下側から押しつける際に抜けてしまうことがあった。挿入部５０２への高圧引下電線２０２の挿入は作業者の手作業によっておこなうしかないのが現状であるため、接続作業中に高圧引下電線２０２が抜けた場合は、抜けた高圧引下電線２０２を既設コネクタ５００に取り付ける段階から接続作業をやり直さなくてはならない。
【００６１】
この場合、高圧引下電線２０２が抜けた回数だけ、既設コネクタ５００を高圧架空電線２０１の下側から押しつけるように支持した状態で、ラチェットを操作して締付用ボルト５０３を締め込む作業をおこなうこととなる。このため、高圧引下電線２０２が挿入部から抜けやすい既設コネクタ５００では作業者を一層疲労させてしまう。
【００６２】
これに対して、この発明にかかる実施の形態１の電線接続器具１００は、上記の構成を備え、以下のように作業をおこなうことによって、接続作業に際しての作業性の向上を図るとともに、作業性を向上させることによって作業時間を短縮し、疲労の低減を図ることができる。
【００６３】
（接続作業の内容）
つぎに、この発明にかかる実施の形態１の電線接続器具１００を用いた高圧架空電線２０１と高圧引下電線２０２との接続作業の内容について説明する。図６、図７および図８は、高圧架空電線２０１と高圧引下電線２０２との接続作業を示す説明図である。図６、図７および図８において、高圧架空電線２０１と高圧引下電線２０２との接続作業に際しては、まず、高圧引下電線２０２の先端部において、絶縁体６０１を取り除き、芯線６０２を露出させる（図６を参照）。
【００６４】
露出させた芯線６０２は、押さえ部１０６における引下電線挿入孔１０８に挿入する。このとき、引下電線挿入孔１０８における大きい方の内径と小さい方の内径とによって構成される段差部分に、芯線６０２をカバーする絶縁体６０１が当接するまで、引下電線挿入孔１０８に芯線６０２を挿入する。これにより、露出させた部分を確実に引下電線挿入孔１０８に挿入することができる。
【００６５】
露出させた芯線６０２を押さえ部１０６における引下電線挿入孔１０８に挿入する際には、絶縁体６０１の先端部分（図６における符号６１０を参照）の若干量が引下電線挿入孔１０８に入り込むようにする。具体的には、たとえば絶縁体６０１の先端１ｃｍ程度が引下電線挿入孔１０８に入り込むようにする。これにより、芯線６０２のみに荷重をかけることなく、高圧引下電線２０２を長期にわたって確実かつ安全に保持することができる。
【００６６】
そして、高圧引下電線２０２の芯線６０２を、引下電線挿入孔１０８における段差部分に絶縁体が当接するまで挿入した状態で、固定用貫通孔１０９にネジを螺合させる。これにより、引下電線挿入孔１０８に挿入された芯線６０２を押さえ部１０６にネジ留めすることができ、高圧引下電線２０２を押さえ部１０６に確実に固定することができる。
【００６７】
つぎに、高圧引下電線２０２を押さえ部１０６に固定した状態の電線接続器具１００におけるフック部１０２を、高圧架空電線２０１に引っ掛ける（図７を参照）。このとき、ヤットコなどの間接活線工具７０１を用いて把持部１１１を把持することによって電線接続器具１００を保持し、間接活線工具７０１を介して電線接続器具１００におけるフック部１０２を高圧架空電線２０１に引っ掛ける。また、このとき、ボルト支持部１０３に対する締付用ボルト１０５の位置を調整し、フック部１０２と押さえ部１０６との間に形成される空間が、高圧架空電線２０１の外径よりも大きい状態としておく。
【００６８】
その後、フック部１０２を高圧架空電線２０１に引っ掛けるために把持部１１１を把持していた間接活線工具７０１を、当該間接活線工具７０１の長手方向を中心として回転させ、締まる方向に締付用ボルト１０５を回動させる。締付用ボルト１０５を締まる方向に回動させることにより、押さえ部１０６がフック部１０２に近づく方向に移動する。これにより、押さえ部１０６とフック部１０２との間隔が小さくなり、押さえ部１０６とフック部１０２との間に高圧架空電線２０１を挟み込むことができる。
【００６９】
締付用ボルト１０５は、把持部１１１を締め付けるトルクが所定のトルクとなるまで締め込む（図８を参照）。所定のトルクは、高圧架空電線２０１や高圧引下電線２０２の振動などによって締付用ボルト１０５が緩まない程度に締付用ボルト１０５を締め込むために十分なトルクであればよく、たとえば作業者が手で十分に締め込む際のトルクとすることができる。
【００７０】
その後、高圧架空電線２０１と高圧引下電線２０２とを接続した状態の電線接続器具１００を覆う分岐カバーを設ける。図示を省略するが、分岐カバーは、間接活線工法に適した絶縁性を有する材料によって形成され、電線接続器具１００を周囲から絶縁し、防護する。分岐カバーは、絶縁性に加えて、難燃性を備えていてもよい。
【００７１】
分岐カバーは、電線接続器具１００の形状や大きさ、電線接続器具１００によって接続する高圧架空電線２０１や高圧引下電線２０２の外径などにしたがって、適宜適切な形状のものを用いる。分岐カバーを形成する材料および分岐カバーの製造方法については、公知の各種の技術を用いて容易に実現可能であるため、説明を省略する。
【００７２】
以上説明したように、この実施の形態１の電線接続器具１００は、高圧架空電線２０１と高圧引下電線２０２とを接続する電線接続器具１００であって、電線接続器具１００を高圧架空電線２０１につり下げ可能なフック部１０２と、フック部１０２に対向配置され、当該フック部１０２に対して接離する方向に移動可能に設けられた押さえ部１０６と、高圧引下電線２０２の先端部を押さえ部１０６に固定する固定部と、フック部１０２に対して位置固定されたボルト支持部１０３に対するボルト支持部１０３に螺合された締付用ボルト１０５の螺合状態に応じて、フック部１０２に対する押さえ部１０６の位置を変化させる締付用ボルト１０５と、締付用ボルト１０５に設けられ、ヤットコなどの間接活線工具７０１による把持が可能な形状からなる把持部１１１と、を備えたことを特徴としている。
【００７３】
この実施の形態１の電線接続器具１００を用いた高圧架空電線２０１と高圧引下電線２０２との接続作業に際しては、作業者は、まず、引下電線挿入孔１０８、固定用貫通孔１０９、および、固定用ネジ１１０によって、高圧引下電線２０２の先端部を押さえ部１０６に挿入する。つぎに、高圧引下電線２０２が押さえ部１０６に固定された電線接続器具１００をフック部１０２によって高圧架空電線２０１につり下げる。そして、つり下げた状態において所定の工具を用いて把持した把持部１１１を操作することによって締付用ボルト１０５の螺合状態を調整し、押さえ部１０６とフック部１０２との間に高圧架空電線２０１を挟み込む。これにより、電線接続器具１００を高圧架空電線２０１に取り付けることができる。
【００７４】
このように、この実施の形態１の電線接続器具１００によれば、接続作業に際して、電線接続器具１００から高圧引下電線２０２を脱落させることなく、電線接続器具１００を高圧架空電線２０１に取り付けることができるので、高圧引下電線２０２の先端が作業者や周囲の設備に接触することによる事故や、接続作業のやり直しをなくし、接続作業に携わる作業者の安全性および作業性の向上を図ることができる。
【００７５】
また、この実施の形態１の電線接続器具１００によれば、電線接続器具１００を高圧架空電線２０１につり下げるために把持部１１１を把持している所定の工具（間接活線工具７０１）によって、締付用ボルト１０５の螺合状態を調整することができる。すなわち電線接続器具１００を高圧架空電線２０１につり下げるために把持部１１１に固定した間接活線工具７０１を接続作業の途中で取り替えることなく、電線接続器具１００を高圧架空電線に取り付けることができる。
【００７６】
さらに、この実施の形態１の電線接続器具１００によれば、締付用ボルト１０５の螺合状態の調整に際して、把持部１１１を把持する間接活線工具７０１とは別の間接活線工具を用いて電線接続器具１００を押さえておくことなく、電線接続器具１００を高圧架空電線２０１に取り付けることができる。これにより、接続作業に際して電線接続器具１００を押さえておくことによる作業者の肉体的および精神的な負担をなくすことができるので、接続作業に携わる作業者の疲労の低減を図ることができる。また、これにより、接続作業に際して作業者が携帯する工具類の数を減らすことができるので、接続作業に携わる作業者の疲労の低減を図ることができる。
【００７７】
また、この実施の形態１の電線接続器具１００は、フック部１０２に対向する位置において当該フック部１０２から離反する方向に湾曲した凹面部１０７が押さえ部１０６に設けられていることを特徴としている。
【００７８】
この実施の形態１の電線接続器具１００によれば、一般的に外周形状が円形とされた高圧架空電線２０１に対して凹面部１０７をフィットさせ、フック部１０２と押さえ部１０６とによって高圧架空電線２０１を確実に保持することができる。これによって、高圧架空電線２０１に対して電線接続器具１００を確実に取り付けることができる。
【００７９】
また、この実施の形態１の電線接続器具１００は、高圧引下電線２０２の先端部を押さえ部１０６の内部に挿入可能とする引下電線挿入孔１０８と、押さえ部１０６に螺合されることによって引下電線挿入孔１０８に挿入された高圧引下電線２０２をネジ留めするネジ１１０と、からなることを特徴としている。
【００８０】
この実施の形態１の電線接続器具１００によれば、簡易な構成および容易な作業によって、高圧引下電線２０２の先端部を確実に押さえ部１０６に固定することができる。これによって、作業者の負担を抑えつつ、接続作業に際して電線接続器具１００からの高圧引下電線２０２の脱落や接触不良の発生を確実に防止することができる。
【００８１】
すなわち、この実施の形態１の電線接続器具１００によれば、上記の構成とすることによって、接続作業中に高圧引下電線２０２が電線接続器具１００から抜けることがないので、接続作業に際しての安全性の向上を図ることができる。また、接続作業中に高圧引下電線２０２が電線接続器具１００から抜けることがないので、高圧引下電線２０２が周囲に接触することによる配電線事故を防止することができる。
【００８２】
さらに、接続作業中に高圧引下電線２０２が電線接続器具１００から抜けることがないので、接続作業における各種作業のやり直しが発生せず、作業効率の向上を図ることができる。電線接続器具１００を高圧架空電線２０１に取り付ける前に、電線接続器具１００に高圧引下電線２０２を固定することができるので、接続作業後の接触不良を防止することができる。
【００８３】
また、この実施の形態１の電線接続器具１００によれば、上記の構成とすることによって、高圧架空電線２０１の上方から電線接続器具１００におけるフック部１０２を引っ掛けるようにして電線接続器具１００を取り付けることができるので、電線接続器具１００の高圧架空電線２０１への取り付けが完了するまでの間、間接活線工具７０１を上に押し上げておかなくてもよく、作業にかかる作業者の負担および労力を減らすことができる。
【００８４】
また、高圧架空電線２０１の上方から電線接続器具１００におけるフック部１０２を引っ掛けるようにして電線接続器具１００を取り付けることができるので、電線接続器具１００を高圧架空電線２０１に取り付けている接続作業中に、万一、間接活線工具７０１から外れてしまった場合にも、電線接続器具１００が落下することがない。これによって、接続作業における各種作業のやり直しが発生せず、作業効率の向上を図ることができる。
【００８５】
また、この実施の形態１の電線接続器具１００によれば、上記の構成とすることによって、ヤットコなど、１種類の間接活線工具７０１のみで締め付け作業をおこなうことができるので、接続作業に際して携帯する工具類（先端工具）の数を減らすことができる。
【００８６】
これにより、工具類を携帯するための工具袋が軽くなり、目的とする工具を容易に探し当てることができるので、作業効率の向上を図ることができる。また、これにより、高所作業車５１０のバケット５１１内が散らかることが抑えられ、目的とする工具を容易に探し当てることができるので、作業効率の向上を図ることができる。
【００８７】
さらに、接続作業に際して携帯する工具類（先端工具）の数を減らすことにより、携帯している各工具に対する注意が行き届き、工具が落下することに対する危惧をなくすことができる。
【００８８】
また、この実施の形態１の電線接続器具１００によれば、上記の構成とすることによって、ラチェエットなどの間接活線工具５０４ｂを使用することなく、電線接続器具１００を高圧架空電線２０１に取り付けることができるので、ラチェットを用いる場合と比較して、電線接続器具１００の高圧架空電線２０１への取り付けに際して高圧架空電線２０１を揺らすことなく作業をおこなうことができる。
【００８９】
（実施の形態２）
つぎに、この発明にかかる実施の形態２の電線接続器具の構成について説明する。この発明にかかる実施の形態２においては、上記の実施の形態１と同一部分は同一符号で示し、説明を省略する。
【００９０】
（電線接続器具の構成）
図９−１は、この発明にかかる実施の形態２の電線接続器具を示す説明図である。図９−１において、この発明にかかる実施の形態２の電線接続器具９００は、上記の実施の形態１の電線接続器具１００が備える押さえ部１０６とは異なる押さえ部９０１を備えている。
【００９１】
この発明にかかる実施の形態２の電線接続器具９００における押さえ部９０１は、締付用ボルト１０５に連結されフック部１０２に対して変位する本体部９０２と、当該本体部９０２に取り付けられた別部材であって凹面部１０７を形成するアダプタ部材９０３と、を備えている。
【００９２】
押さえ部９０１において、アダプタ部材９０３は、凹面部１０７に対して着脱可能とされている。アダプタ部材９０３は、略円弧状に湾曲した形状からなり、外側の面を凹面部１０７に重ね合わせることができる。アダプタ部材９０３は、外側の面における曲率と、内側の面における曲率とが異なっている。これにより、アダプタ部材９０３を取り付けることによって、凹面部１０７の曲率を変更することができる。
【００９３】
アダプタ部材９０３は、押さえ部９０１を形成する材料と同じ材料によって形成されていることが好ましい。あるいは、アダプタ部材９０３は、電気伝導性など、押さえ部９０１を形成する材料と同じ材料が備える性質と類似する性質を有する材料によって形成されていることが好ましい。
【００９４】
アダプタ部材９０３は、たとえば図示を省略するネジを用いてネジ留めすることによって、押さえ部９０１に対して固定することができる。また、押さえ部９０１における凹面部１０７に凹部（図示を省略する）を設け、当該凹部に嵌り込む突起（図示を省略する）をアダプタ部材９０３の外側の面に設け、凹部と突起とを嵌め合わせることによって、アダプタ部材９０３を押さえ部９０１に対して固定するようにしてもよい。
【００９５】
凹部と突起との嵌め合わせによってアダプタ部材９０３を押さえ部９０１に対して固定する場合、アダプタ部材９０３の外側の面に凹部を設け、押さえ部９０１における凹面部１０７に突起を設けてもよい。また、凹部と突起との嵌め合わせによってアダプタ部材９０３を押さえ部９０１に対して固定する場合、アダプタ部材９０３の外側の面に凹部および突起を設け、押さえ部９０１における凹面部１０７に突起および凹部を設けてもよい。
【００９６】
アダプタ部材９０３における内側の面の曲率を複数種類に異ならせた、複数種類のアダプタ部材９０３を用意することにより、電線接続器具９００の取り付け対象となる高圧架空電線２０１の外径に応じて、適切なアダプタ部材９０３を採用することができる。すなわち、電線接続器具９００の取り付け対象となる高圧架空電線２０１の外径に応じて凹面部１０７の曲率を変更することにより、高圧架空電線２０１の外径にかかわらず、フック部１０２と押さえ部９０１との間において、高圧架空電線２０１を確実に挟み込むことができる。
【００９７】
つぎに、この発明にかかる実施の形態２の電線接続器具の構成の変形例について説明する。この発明にかかる実施の形態２の変形例においては、上記の実施の形態１および実施の形態２と同一部分は同一符号で示し、説明を省略する。
【００９８】
図９−２は、この発明にかかる実施の形態２の電線接続器具を示す説明図である。図９−２においては、この発明にかかる実施の形態２の電線接続器具の変形例を示している。図９−２において、この発明にかかる実施の形態２の電線接続器具９２０は、上記の実施の形態２の電線接続器具９００が備える把持部１１１とは異なる把持部９２１を備えている。
【００９９】
把持部９２１は、把持部１１１と同様の外形をなし、把持部１１１においてヤットコに把持される部分に、孔９２２を備えている。孔９２２は、把持部９２１を当該把持部９２０の板厚方向に貫通している。孔９２２は、たとえばクイックなどの絶縁操作棒における先端部の爪を、孔９２２にはめ込むようにしてかみ合わせることができる形状および大きさとされている。
【０１００】
電線接続器具９２０を用いた高圧架空電線２０１と高圧引下電線２０２との接続作業に際しては、高圧引下電線２０２を押さえ部１０６に固定した状態の電線接続器具９２０におけるフック部１０２を、高圧架空電線２０１に引っ掛け、さらに、把持部９２１に絶縁操作棒をかみ合わせる。
【０１０１】
そして、この状態で締付用ボルト１０５が締まる方向に絶縁操作棒を回転させる。締付用ボルト１０５は、高圧架空電線２０１を締め付けるトルクが所定のトルクとなるまで締め込む。
【０１０２】
つぎに、この発明にかかる実施の形態２の電線接続器具の構成の別の変形例について説明する。この発明にかかる実施の形態２の別の変形例においては、上記の実施の形態１および実施の形態２と同一部分は同一符号で示し、説明を省略する。
【０１０３】
図９−３は、この発明にかかる実施の形態２の電線接続器具を示す説明図である。図９−３においては、この発明にかかる実施の形態２の電線接続器具の別の変形例を示している。図９−３において、この発明にかかる実施の形態２の電線接続器具９３０は、上記の実施の形態２の電線接続器具９００が備える把持部１１１とは異なる把持部９３１を備えている。
【０１０４】
把持部９３１は、六角ボルト状の外形をなし、把持部１１１においてヤットコに把持される部分が、締付用ボルト１０５の軸心を中心とする正六角形状の頭部９３２とされている。頭部９３２は、たとえば絶縁操作棒の先端に設けられた先端に六角ソケットを頭部９３２にはめ込むことにより、締付用ボルト１０５を締め付けるようにして締め込むことができる。
【０１０５】
このように、把持部９２１、９３１のように、絶縁操作棒および当該絶縁操作棒の先端に設けられる工具に応じて把持部９２１、９３１の形状を変更することによって、把持部９２１、９３１すなわち締付用ボルト１０５を操作できる工具（絶縁操作棒）の種類を増やし、汎用性の向上を図ることができる。
【０１０６】
以上説明したように、この実施の形態２の電線接続器具９００は、押さえ部９０１が、ネジ部に連結されフック部１０２に対して変位する本体部９０２と、当該本体部９０２に取り付けられた別部材であって凹面部１０７を形成するアダプタ部材９０３と、からなることを特徴としている。
【０１０７】
この実施の形態２の電線接続器具９００によれば、高圧架空電線２０１の外径寸法に応じて高圧架空電線２０１にフィットするアダプタ部材９０３を取り付けることによって、高圧架空電線２０１の外径寸法にかかわらず、フック部１０２と押さえ部９０１とによって高圧架空電線２０１を確実に保持することができる。これによって、高圧架空電線２０１の外径寸法にかかわらず、高圧架空電線２０１に対して電線接続器具９００を確実に取り付けることができる。
【０１０８】
（実施の形態３）
つぎに、この発明にかかる実施の形態３の電線接続器具の構成について説明する。この発明にかかる実施の形態３においては、上記の実施の形態１および実施の形態２と同一部分は同一符号で示し、説明を省略する。
【０１０９】
（電線接続器具の構成）
図１０、図１１および図１２は、この発明にかかる実施の形態３の電線接続器具を示す説明図である。図１０においては、この発明にかかる実施の形態３の電線接続器具を、当該電線接続器具を設置した際に斜め上となる位置から見た状態を示している。図１１および図１２においては、この発明にかかる実施の形態３の電線接続器具を側方から見た状態を示している。
【０１１０】
図１０、図１１および図１２において、この発明にかかる実施の形態３の電線接続器具１０００は、上記の実施の形態１および実施の形態２の電線接続器具１００、９００が備える締付用ボルト１０５に代えて、締付用ボルト１００１を備えている。締付用ボルト１００１は、螺合部１００２と把持部１００３とを備えている。
【０１１１】
締付用ボルト１００１において、螺合部１００２は、締付ボルト用貫通孔１０４に螺合されるネジ山が設けられている部分によって実現される。この実施の形態３においては、螺合部１００２によって、この発明にかかるネジ部材を実現することができる。また、この実施の形態３においては、ボルト支持部１０３、締付ボルト用貫通孔１０４、締付用ボルト１００１によって、この発明にかかるネジ部を実現することができる。
【０１１２】
また、締付用ボルト１００１において、把持部１００３は、ヤットコなどの間接活線工具７０１によって把持することができる形状とされ、球１００４ａを介して螺合部１００２に連結されている。把持部１００３は、把持部１００３を把持して螺合部１００２を回動させても破壊しない程度の強度を有し、板形状をなしていることが好ましい。
【０１１３】
螺合部１００２および把持部１００３は、ボールジョイント構造をなす自在継手１００４を介して連結されている。自在継手１００４は、球１００４ａを備えている。球１００４ａは、螺合部１００２および把持部１００３のそれぞれに対して３次元で回転可能とされている。
【０１１４】
これにより、締付用ボルト１００１における螺合部１００２と把持部１００３とがなす角度を任意の角度に変えることができる。ボールジョイント構造をなす自在継手１００４の構成や自在継手１００４の構造および自在継手１００４を構成する各部の動作については公知の技術であるため説明を省略する。
【０１１５】
締付用ボルト１００１において、螺合部１００２と把持部１００３とは、ボールジョイント構造をなす自在継手１００４を介して連結されているものに限らない。螺合部１００２と把持部１００３とを、軸心方向が異なる複数の軸によって構成される自在継手（図示を省略する）を介して連結することによって締付用ボルト１００１を構成してもよい。
【０１１６】
螺合部１００２において、把持部１００３側の端部には、ガイド部材１００５が設けられている。ガイド部材１００５は、略円錐形状をなし、頂点側が螺合部１００２の端部に固定されている。ガイド部材１００５は、締付用ボルト１００１における螺合部１００２と把持部１００３との連結部分、すなわち球１００４ａの周囲および把持部１００３における軸を覆っている。ガイド部材１００５の内面には、複数の溝１００５ａが設けられている。ガイド部材１００５の内面に設けられた複数の溝１００５ａは、ガイド部材１００５の頂点部分から放射状に広がるように設けられている。
【０１１７】
把持部１００３における軸１００３ａの外周面には、複数の溝１００３ｂが設けられている。この溝１００３ｂは、ガイド部材１００５の内面に設けられた溝１００５ａと噛み合うような幅およびピッチで設けられている。把持部１００３における軸１００３ａの外周面に設けられた溝１００３ｂとガイド部材１００５の内面に設けられた溝１００５ａとを噛み合わせた状態で把持部１００３を回動させた場合、軸１００３ａの回動にともなってガイド部材１００５が螺合部１００２を中心として回動する。ガイド部材１００５は、把持部１００３における軸１００３ａの回動方向に応じた方向に回動する。
【０１１８】
このように、螺合部１００２の軸心と把持部１００３の軸における軸心とが一致していない場合にも、把持部１００３を介して軸を回動させ、軸の回動に応じてガイド部材１００５を回動させることにより、ガイド部材１００５に連結された螺合部１００２を回動させることができる。螺合部１００２は、把持部１００３の軸の回動方向に応じて締まる方向および緩む方向のいずれの方向にも回動させることができる。これによって、螺合部１００２の真下において螺合部１００２を回動させることが難しい作業状況であっても、把持部１００３を把持した状態で螺合部１００２を回動させることができる。
【０１１９】
これによって、螺合部１００２の真下すなわち螺合部１００２の軸心と把持部１００３の軸における軸心とを一致させた状態でネジ部を回動させることが難しい作業状況であっても、螺合部１００２を回動させ、フック部１０２と押さえ部１０６との間に高圧架空電線２０１を挟み込み、電線接続器具１０００を高圧架空電線２０１に確実に取り付けることができる。
【０１２０】
以上説明したように、この実施の形態３の電線接続器具１０００は、把持部１００３が、螺合部１００２と把持部１００３とを任意の角度で連結する自在継手１００４を介して螺合部１００２に連結されていることを特徴としている。
【０１２１】
この実施の形態３の電線接続器具１０００によれば、高圧架空電線２０１に対する電線接続器具１０００の取り付け位置と作業者との位置関係にかかわらず、所定の工具によって把持した把持部１００３を操作して、螺合部１００２の螺合状態を調整することができる。これにより、間接活線工具７０１が把持部１００３に届く範囲であれば足場を確保する場所を限定することなく螺合部１００２の螺合状態を調整することができるので、作業性の向上を図ることができる。
【産業上の利用可能性】
【０１２２】
以上のように、本発明にかかる電線接続器具は、高圧架空電線と高圧引下電線とを接続する電線接続器具に有用であり、特に、高圧架空電線と高圧引下電線とを間接活線工法によって接続する際に用いられる電線接続器具に適している。
【符号の説明】
【０１２３】
１００  電線接続器具
１０２  フック部
１０３  ボルト支持部
１０５  締付用ボルト
１０６  押さえ部
１０８  引下電線挿入孔
１０９  固定用貫通孔
１１０  固定用ネジ
１１１  把持部
２０１  高圧架空電線
２０２  高圧引下電線
７０１  間接活線工具
９００  電線接続器具
９０１  押さえ部
９０３  アダプタ部材
１０００  電線接続器具
１００１  締付用ボルト
１００２  螺合部
１００３  把持部
【図１】
2010198900.tif 000003
【図２】
2010198900.tif 000004
【図３】
2010198900.tif 000005
【図４】
2010198900.tif 000006
【図５−１】
2010198900.tif 000007
【図５−２】
2010198900.tif 000008
【図５−３】
2010198900.tif 000009
【図５−４】
2010198900.tif 000010
【図６】
2010198900.tif 000011
【図７】
2010198900.tif 000012
【図８】
2010198900.tif 000013
【図９−１】
2010198900.tif 000014
【図９−２】
2010198900.tif 000015
【図９−３】
2010198900.tif 000016
【図１０】
2010198900.tif 000017
【図１１】
2010198900.tif 000018
【図１２】
2010198900.tif 000019